(57)【要約】【課題】殺菌作用を持つ銀を水中に溶出させることにより、水に存在する細菌に対して十分な殺菌効果が得られるようにし、又、この殺菌効果に加えて、クラスターを小さくして水の浸透性を高めることで保湿性を向上させ、肌荒れや肌のかゆみ、アトピーの改善ができるようにした粉末入浴剤の提供。【解決手段】銀粉末０．１〜３５重量％と、トルマリン鉱石粉末６５〜９９．９重量％が配合されている。銀による殺菌作用と、トルマリンの帯電現象による水のクラスターを小さくする作用を得る。【特許請求の範囲】
【請求項１】
銀粉末０．１〜３５重量％と、トルマリン鉱石粉末６５〜９９．９重量％が配合されていることを特徴とする粉末入浴剤。
【請求項２】
銀粉末０．１〜３５重量％と、トルマリン鉱石粉末６５〜９９．９重量％の配合粉末を１５０〜６５０℃で焼成したことを特徴とする粉末入浴剤。
【請求項３】
請求項１又は２記載の粉末入浴剤において、着色剤及び香料が添加されている粉末入浴剤。
【請求項４】
請求項１又は２又は３記載の粉末入浴剤において、遠赤外線セラミックス粉末、麦飯石粉末、ゼオライト粉末、クエン酸粉末、酸化チタン粉末、グリセリン粉末、尿素粉末、ビタミンＣ粉末のうちから選択したいずれか１種又は複数種が添加されている粉末入浴剤。
【請求項５】
銀粉末０．１〜３０重量％と、トルマリン鉱石粉末３５〜９１．９重量％と、バインダとしてのガラス粉末又は水ガラス８〜３０重量％の配合粉末を４５０〜８００℃で焼成して成形体に形成した成形入浴剤。
【請求項６】
麦飯石、ゼオライト、陶土等の鉱石を成形体に焼成したものを基体とし、この基体の表面に、銀粉末０．１〜３０重量％と、トルマリン鉱石粉末３５〜９１．９重量％と、バインダとしてのガラス粉末又は水ガラス８〜３０重量％の配合粉末をコーティングして４５０〜８００℃で焼成した成形入浴剤。
【請求項７】
請求項５又は６記載の成形入浴剤が、透水穴を有する容器内に収容されている入浴剤入り容器。
【請求項８】
請求項５又は６記載の成形入浴剤が、シャワーヘッドの通水路に収容されている入浴剤入りシャワーヘッド。
【請求項９】
銀粉末０．１〜３５重量％と、トルマリン鉱石粉末６５〜９９．９重量％が水に溶解されていることを特徴とする洗顔液。
【請求項１０】
銀粉末０．１〜３５重量％と、トルマリン鉱石粉末６５〜９９．９重量％の配合粉末を１５０〜６５０℃で焼成して水に溶解したことを特徴とする洗顔液。
【請求項１１】
請求項９又は１０記載の洗顔液において、着色剤及び香料が添加されている洗顔液。
【請求項１２】
請求項９又は１０又は１１記載の洗顔液において、遠赤外線セラミックス粉末、麦飯石粉末、ゼオライト粉末、クエン酸粉末、酸化チタン粉末、グリセリン粉末、尿素粉末、ビタミンＣ粉末のうちから選択したいずれか１種又は複数種が添加されている洗顔液。
【発明の詳細な説明】
【０００１】
【発明の属する技術分野】
本発明は、粉末入浴剤及び成形入浴剤及び入浴剤入り容器及び入浴剤入りシャワーヘッド及び洗顔液に関する。
【０００２】
【従来の技術】
従来、入浴剤としては、粉末又は錠剤等の成形体で、温泉成分に香料や着色剤を配合し、お湯に溶かして温泉効果を得るようにしたものが知られている。
【０００３】
又、容器にセラミックスを入れたものを浴槽内に入れて、遠赤外線効果などで水を活性化させ、水を柔かくすると共に、血行促進効果を得るものや、銀を含有させたセラミックスによって除菌効果を得るようにしたものなども知られている。
【０００４】
なお、本出願人において、銀粉末にバインダとしてのガラス粉末を配合して銀成形体に焼成した殺菌用水質改良剤を提案している（特願２００１−３３９６８５号）。
【０００５】
この殺菌用水質改良剤は、給水配管系に配設した水質改良装置に収容させて、殺菌作用を持つ銀を水中に溶出させることにより、十分な殺菌効果が得られるようにしたもので、入浴剤や洗顔液として用いるものとは異なる。
【０００６】
【発明が解決しようとする課題】
しかしながら、従来の入浴剤にあっては、着色や香りにより温泉気分を出すことを主眼としたものが多く、肌荒れ、アトピーなどの肌の病気の改善につながる効果があるものはなかった。
又、銀を含有させたセラミックスにおいては、セラミックス中の銀が水に溶出しにくいため、その殺菌効果が、極めて弱いという問題があった。
【０００７】
本発明は、上記のような問題を解決するためになされたもので、殺菌作用を持つ銀を水中に溶出させることにより、水に存在する細菌（例えば、大腸菌やブドウ球菌等）に対して十分な殺菌効果が得られるようにし、又、この殺菌効果に加えて、クラスターを小さくして水の浸透性を高めることで保湿性を向上させ、肌荒れや肌のかゆみ、アトピーの改善ができるようにした粉末入浴剤及び成形入浴剤及び入浴剤入り容器及び入浴剤入りシャワーヘッド及び洗顔液を提供することを課題としている。
【０００８】
【課題を解決するための手段】
上記の課題を解決するために、本発明の粉末入浴剤（請求項１）は、
銀粉末０．１〜３５重量％と、トルマリン鉱石粉末６５〜９９．９重量％が配合されている構成とした。
【０００９】
又、本発明の粉末入浴剤（請求項２）は、
銀粉末０．１〜３５重量％と、トルマリン鉱石粉末６５〜９９．９重量％の配合粉末を焼成（焼成温度１５０〜６５０℃）した構成とした。
このように、焼成すると、トルマリンの帯電性を向上させることができる。
なお、焼成温度を１５０〜６５０℃の低温としたのは、１５０℃以下では焼成及びトルマリンの帯電性向上が不十分であるし、６５０℃以上では、銀成分が変質し、殺菌効果が低減してしまうことになるからである。
【００１０】
上記粉末入浴剤（請求項１、２）は、銀粉末がそのまま配合されているため、銀が水中に溶出し、水に存在する細菌（例えば、大腸菌やブドウ球菌等）を殺菌することができる。
又、トルマリン鉱石粉末は、トルマリン（電気石）の帯電現象によって水の分子運動が活発化して水分子の集団であるクラスターを小さくし、水の浸透性を高めると共に、イオン化を促進させ、水の浄化を図る作用がある。
【００１１】
又、本発明の粉末入浴剤（請求項３）は、
前記請求項１又は２記載の粉末入浴剤において、着色剤及び香料が添加されている態様とした。
このように着色剤や香料を添加すると、色や香りによってリラック気分や温泉気分を得ることができる。
【００１２】
又、本発明の粉末入浴剤（請求項４）は、
前記請求項１又は２又は３記載の粉末入浴剤において、遠赤外線セラミックス粉末、麦飯石粉末、ゼオライト粉末、クエン酸粉末、酸化チタン粉末、グリセリン粉末、尿素粉末、ビタミンＣ粉末のうちから選択したいずれか１種又は複数種が添加されている態様とした。
【００１３】
前記遠赤外線セラミックスは、放射される遠赤外線によって、クラスターを小さくし、水の浸透性を高める作用があるし、又、麦飯石、ゼオライト、酸化チタン被膜セラミックスは、多孔質であるため、汚れを吸着して水の浄化を図る作用がある。又、グリセリン粉末、尿素粉末は、美肌作用があるし、ビタミンＣ粉末は、美肌作用に加えて塩素除去作用があり、これらを組み合わせることにより、相乗効果が得られる。
【００１４】
又、本発明の成形入浴剤（請求項５）は、
銀粉末０．１〜３０重量％と、トルマリン鉱石粉末３５〜９１．９重量％と、バインダとしてのガラス粉末又は水ガラス８〜３０重量％の配合粉末を成形体（粒体、球体、ペレット状等）に焼成（焼成温度４５０〜８００℃）した構成とした。
焼成温度を４５０〜８００℃としたのは、４５０℃以下では成形体の焼成が不十分であるし、８００℃以上では、銀成分が変質し、殺菌効果が低減してしまうことになるからである。
【００１５】
この成形入浴剤（請求項５）は、ガラス粉末又は水ガラスをバインダとして銀粉末とトルマリン鉱石粉末との配合粉末を焼成したものである。
【００１６】
又、本発明の成形入浴剤（請求項６）は、
麦飯石、ゼオライト、陶土等の鉱石による焼成成形体（焼成温度１２００℃前後）の表面に、銀粉末０．１〜３０重量％と、トルマリン鉱石粉末３５〜９１．９重量％と、バインダとしてのガラス粉末又は水ガラス８〜３０重量％の配合粉末をコーティングして焼成（焼成温度４５０〜８００℃）した構成とした。
【００１７】
この成形入浴剤（請求項６）は、焼成成形体の表面に、ガラス粉末又は水ガラスをバインダとして銀粉末とトルマリン鉱石粉末との配合粉末を焼成したものである。
【００１８】
上記成形入浴剤（請求項５、６）のように、ガラス粉末や水ガラスをバインダとして成形体を焼成すると、銀粉末がバインダ中に分散した状態になるため、成形体でありながら銀が水中に溶出し、水に存在する細菌（例えば、大腸菌やブドウ球菌等）を殺菌することができる。
【００１９】
また、本発明の入浴剤入り容器（請求項７）は、
前記請求項５又は６記載の成形入浴剤が、透水穴を有する容器内に収容されている構成とした。なお、本発明では、袋体についても本発明で言う容器に含めるものとする。
【００２０】
この入浴剤入り容器は、容器に形成した透水穴から容器内に流入した水が成形入浴剤を通過するように流動する。このようにして水が容器内を通過する間に、成形入浴剤から銀が水中に溶出し、水に含まれた菌（例えば、大腸菌やブドウ球菌等）を殺菌することができる。
【００２１】
また、本発明の入浴剤入りシャワーヘッド（請求項８）は、
請求項５又は６記載の成形入浴剤が、シャワーヘッドの通水路に収容されている構成とした。
【００２２】
この入浴剤入りシャワーヘッドは、シャワーヘッドの通水路内に流入した水が成形入浴剤を通過して吐出する。このようにして水が通水路を通過する間に、成形入浴剤から銀が水中に溶出し、水に含まれた菌（例えば、大腸菌やブドウ球菌等）を殺菌することができる。
【００２３】
また、本発明の洗顔液（請求項９）は、
銀粉末０．１〜３５重量％と、トルマリン鉱石粉末６５〜９９．９重量％が水に溶解されている構成とした。
【００２４】
また、本発明の洗顔液（請求項１０）は、
銀粉末０．１〜３５重量％と、トルマリン鉱石粉末６５〜９９．９重量％の配合粉末を焼成（焼成温度１５０〜６５０℃）して水に溶解した構成とした。
【００２５】
また、本発明の洗顔液（請求項１１）は、
前記請求項９又は１０記載の洗顔液において、着色剤及び香料が添加されている態様とした。
【００２６】
また、本発明の洗顔液（請求項１２）は、
前記請求項９又は１０又は１１記載の洗顔液において、遠赤外線セラミックス粉末、麦飯石粉末、ゼオライト粉末、クエン酸粉末、酸化チタン粉末、グリセリン粉末、尿素粉末、ビタミンＣ粉末のうちから選択したいずれか１種又は複数種が添加されている態様とした。
【００２７】
【発明の実施の形態】
以下、本発明の粉末入浴剤の実施例を説明する。
（第１実施例）
２００〜５００メッシュの銀粉末７重量％と、２００〜５００メッシュのトルマリン鉱石粉末９３重量％を配合し、これに着色剤及び香料を添加した。
【００２８】
このように、銀粉末がそのまま配合されているため、銀が水中に溶出し、水に存在する細菌（例えば、大腸菌やブドウ球菌等）を殺菌することができ、衛生的に入浴することができる。
又、トルマリン（電気石）の帯電現象によって水の分子運動が活発化して水分子の集団であるクラスターを小さくし、水の浸透性を高めると共に、イオン化を促進させ、水の浄化を図る作用がある。
これにより、クラスターを小さくして水の浸透性を高めることで保湿性を向上させ、肌荒れや肌のかゆみ、アトピーの改善ができる。
又、着色剤及び香料による色や香りによってリラック気分や温泉気分を得ることができる。
【００２９】
（第２実施例）
２００〜５００メッシュの銀粉末５重量％と、２００〜５００メッシュのトルマリン鉱石粉末９５重量％を配合し、これを６００℃で焼成し、これに遠赤外線セラミックス粉末及び麦飯石粉末、ビタミンＣ粉末を添加した。
【００３０】
このように、焼成すると、トルマリンの帯電効果を向上できる。
又、トルマリンの流す微弱電流と、遠赤外線セラミックスによる遠赤外線の放射により激しい共鳴運動が生起し、水の分子運動が活発化して水分子の集団であるクラスターが小さくなり、水の浸透性が向上する。又、プラスイオン及びマイナスイオンの発生により水のイオン化が促進し、さらに、水の中に含まれる硫酸ガス等が放出されることによって水の浄化を図ることができる。しかも、トルマリンの特性によって遠赤外線セラミックスが汚れることを防止して効果の持続を図ることができる。
又、麦飯石は多孔質であるため、汚れを吸着して水の浄化を図る作用があるし、ビタミンＣ粉末によって、美肌効果を得ることができるし、塩素除去作用によって水質を向上することができる。
【００３１】
次に、本発明の成形入浴剤の実施例を説明する。
（第３実施例）
成形入浴剤は、２００〜５００メッシュの銀粉末５重量％と、２００〜５００メッシュのトルマリン鉱石粉末７５重量％と、バインダとしてのガラス粉末２０重量％の配合粉末を、直径６ｍｍの球形（成形体）に６００℃で焼成した。
【００３２】
（第４実施例）
成形入浴剤は、麦飯石を成形体に１２００℃で直径３ｍｍの球体に焼成したものを基体とし、この基体の表面に、２００〜５００メッシュの銀粉末５重量％と、２００〜５００メッシュのトルマリン鉱石粉末７５重量％と、バインダとしてのガラス粉末２０重量％の配合粉末をコーティングして６００℃で焼成した。
【００３３】
上記成形入浴剤（実施例３、４）のように、ガラス粉末をバインダとして成形体を焼成すると、銀粉末がバインダ中に分散した状態になるため、成形体でありながら銀が水中に溶出し、水に存在する細菌（例えば、大腸菌やブドウ球菌等）を殺菌することができる。
【００３４】
次に、本発明の入浴剤入り容器の実施例を説明する。図１は入浴剤入り容器の実施例を示す切欠図である。
この入浴剤入り容器１は、直径５ｃｍ、厚さ２ｍｍのボール状に形成された容器１０に直径３ｍｍの透水穴１１が多数形成され、この容器１内に前記第３実施例の成形入浴剤１５が収容されている。
【００３５】
この入浴剤入り容器１は、容器１０に形成した透水穴１１から容器１０内に流入した水が成形入浴剤１５に接触しながら通過するように流動する。このようにして水が容器１０内を通過する間に、成形入浴剤１５から銀が水中に溶出し、水に含まれた菌（例えば、大腸菌やブドウ球菌等）を殺菌することができる。
【００３６】
次に、本発明の入浴剤入りシャワーヘッドの実施例を説明する。図２は入浴剤入りシャワーヘッドの実施例を示す切欠図である。
この入浴剤入りシャワーヘッド２は、シャワーヘッド２０の内部に形成した通水路２１の持ち手部分に開閉不能な第１収容部２２が形成されると共に、ヘッド部分にノズルヘッド２３に着脱により開閉可能な第２収容部２４が形成されている。
【００３７】
そして、前記第１収容部２２に、２００〜５００メッシュのトルマリン鉱石粉末７５重量％と、バインダとしてのガラス粉末２５重量％の配合粉末を、直径３ｍｍの球形（成形体）に６００℃で焼成した成形入浴剤２５を収容している。
この成形入浴剤２５には、銀粉末が含まれておらず、これは、第１収容部２２が開閉不能なため、成形入浴剤２５の交換ができず、従って、酸化する銀粉末を含ませないこととした。
ただ、トルマリンを含んでいるため、トルマリン（電気石）の帯電現象によって水の分子運動が活発化して水分子の集団であるクラスターを小さくし、水の浸透性を高めると共に、イオン化を促進させ、水の浄化を図る作用がある。
【００３８】
又、前記第２収容部２４に、第４実施例の成形入浴剤２６をカートリッジとして交換可能に収容している。
従って、この入浴剤入りシャワーヘッド２は、シャワーヘッド２０の通水路２１内に流入した水が第１収容部２２の成形入浴剤２５及び第２収容部２４の成形入浴剤２６に接触しながら通過してノズルヘッド２３から吐出する。このようにして水が通水路２１を通過する間に、トルマリンの帯電現象によって水の分子運動が活発化して水分子の集団であるクラスターを小さくすると共に、成形入浴剤２６から溶出した銀によって、水に含まれた細菌を殺菌することができる。
【００３９】
次に、本発明の洗顔液の実施例を説明する。
（第５実施例）
２００〜５００メッシュの銀粉末５重量％と、２００〜５００メッシュのトルマリン鉱石粉末９５重量％を配合し、これにビタミンＣ粉末を添加したものを、１リットルの水に溶解させ、上澄み液を採取した。
従って、上記した入浴剤と同様に、銀による殺菌作用及びトルマリンによる水の浸透性の向上、ビタミンＣによる美肌作用を持つ洗顔液を得ることができる。
【００４０】
尚、以下の表１に、前記第２実施例の粉末入浴剤を水に溶かした検体と、セレウス、サルモネラ、Ｏ−１５７、腸炎ビブリオの各細菌を対照とした細菌の消長試験結果を示す。
【００４１】
【表１】
2004269427.tif 000002
【００４２】
この表１が示すように、粉末入浴剤を用いると、殺菌効果が非常に高いことが判る。
【００４３】
又、以下の表２及び表３に、前記第２実施例の粉末入浴剤を水に溶かした処理水と、原水とのクラスターを比較するため、１７０核磁気共鳴分光分析を行なった結果を示す。なお、表２は処理水及び原水を室温にした状態での試験結果、表３は処理水を７０℃、原水を室温にした状態での試験結果を示す。
【００４４】
【表２】
2004269427.tif 000003
【００４５】
【表３】
2004269427.tif 000004
【００４６】
この表２及び表３が示すように、粉末入浴剤を用いた処理水は、原水の半分の半値幅を示し、このことから、処理水は、原水に比べて、クラスターサイズが小さいか、クラスターサイズが小さいものが多く存在していることが判る。
【００４７】
以上、本発明の実施の形態を説明してきたが、具体的な構成は、これに限定されることはない。
【００４８】
【発明の効果】
以上、説明したように、本発明の粉末入浴剤（請求項１）は、銀が水中に溶出し、水に存在する細菌（例えば、大腸菌やブドウ球菌等）を殺菌することができ、衛生的に入浴することができる。
又、トルマリン（電気石）の帯電現象によって水の分子運動が活発化して水分子の集団であるクラスターを小さくし、水の浸透性を高めると共に、イオン化を促進させ、水の浄化を図る作用がある。
これにより、クラスターを小さくして水の浸透性を高めることで保湿性を向上させ、肌荒れや肌のかゆみ、アトピーの改善ができる。
【００４９】
本発明の粉末入浴剤（請求項２）は、上記効果に加え、焼成することによってトルマリンの帯電効果を向上させることができる。
【００５０】
本発明の粉末入浴剤（請求項３）は、着色剤及び香料による色や香りによってリラック気分や温泉気分を得ることができる。
【００５１】
本発明の粉末入浴剤（請求項４）では、遠赤外線セラミックスは、放射される遠赤外線によって、クラスターを小さくし、水の浸透性を高める作用があるし、又、麦飯石、ゼオライト、酸化チタン被膜セラミックスは、多孔質であるため、汚れを吸着して水の浄化を図る作用がある。又、グリセリン粉末、尿素粉末、美肌作用があるし、ビタミンＣ粉末は、美肌作用に加えて塩素除去作用があり、これらを組み合わせることにより、相乗効果が得られる。
【００５２】
又、本発明の成形入浴剤（請求項５、６）では、ガラス粉末や水ガラスをバインダとして成形体を焼成して、銀粉末がバインダ中に分散した状態になるため、成形体でありながら銀が水中に溶出し、水に存在する細菌（例えば、大腸菌やブドウ球菌等）を殺菌することができる。
【００５３】
また、本発明の入浴剤入り容器（請求項７）は、水が容器内を通過する間に、成形入浴剤の効果を得ることができる。従って、これを浴槽に投入しておくだけで、手軽に使用できるし、長期に亘って繰り返し使用ができる。
【００５４】
また、本発明の入浴剤入りシャワーヘッド（請求項８）は、水が通水路を通過する間に、成形入浴剤の効果を得ることができる。従って、手軽に使用できるし、長期に亘って繰り返し使用ができる。
【００５５】
また、本発明の洗顔液（請求項９、１０、１１、１２）は、前記した粉末入浴剤（請求項１、２、３、４、）と同様に、銀による殺菌作用、トルマリン（電気石）の帯電現象による水のクラスターを小さくする作用を得ることができるし、又、着色剤及び香料による色や香りによってリラック気分を得ることができ、又、遠赤外線セラミックス、麦飯石、ゼオライト、酸化チタンによる水の浄化作用、又、グリセリン粉末、尿素粉末、ビタミンＣ粉末による美肌作用を得ることができる。
【図面の簡単な説明】
【図１】入浴剤入り容器の実施例を示す切欠図である。
【図２】入浴剤入りシャワーヘッドの実施例を示す切欠図である。
【符号の説明】
１  入浴剤入り容器
１０  容器
１１  透水穴
１５  成形入浴剤
２  入浴剤入りシャワーヘッド
２０  シャワーヘッド
２１  通水路
２２  第１収容部
２３  ノズルヘッド
２４  第２収容部
２５  成形入浴剤
２６  成形入浴剤
【図１】
2004269427.tif 000005
【図２】
2004269427.tif 000006